(57)【要約】      （修正有）【課題】影像をリアルに監視できる表示モジュールを有する監視装置を提供する。【解決手段】少なくとも一つの監視カメラ１と表示モジュール２とを有し、前記監視カメラは、その前端に設けられるカメラ１１と、その内部に設けられる制御回路１２と、外部から前記監視カメラと接続される電源供給モジュール１３から構成され、前記カメラと電源供給モジュールは、前記制御回路に夫々電気的に接続され、前記表示モジュールは、前記監視カメラの少なくとも一側に設けられると共に、前記制御回路に電気的に接続される。【選択図】図１
0003183048.tif 000002
【実用新案登録請求の範囲】
【請求項１】
少なくとも一つの監視カメラと表示モジュールとを有し、前記監視カメラは、その前端に設けられるカメラと、その内部に設けられる制御回路と、外部から前記監視カメラと接続される電源供給モジュールから構成され、前記カメラと電源供給モジュールは、前記制御回路に夫々電気的に接続され、前記表示モジュールは、前記監視カメラの少なくとも一側に設けられると共に、前記制御回路に電気的に接続されることを特徴とする表示モジュールを有する監視装置。
【請求項２】
前記監視カメラの後端に前記監視カメラの制御回路に電気的に接続する影像と音声の伝送コードが設けられ、前記影像と音声の伝送コードの自由端がデジタル影像と音声の記憶装置（ＤＶＲ）の内部に設けられるメイン制御回路と電気的に接続されることを特徴とする請求項１に記載の表示モジュールを有する監視装置。
【請求項３】
前記表示モジュールは、液晶表示モニタ(Ｌｉｑｕｉｄ Ｃｒｙｓｔａｌ Ｄｉｓｐｌａｙ，ＬＣＤ)、有機発光ダイオード表示モニタ(Ｏｒｇａｎｉｃ Ｌｉｇｈｔ-Ｅｍｉｔｔｉｎｇ Ｄｉｄｏｄｅｓ，ＯＬＥＤ)又はＬＥＤ表示モニタ(Ｌｉｇｈｔ Ｅｍｉｔｔｉｎｇ Ｄｉｄｏｄｅｓ，ＬＥＤ)であることを特徴とする請求項１に記載の表示モジュールを有する監視装置。
【請求項４】
前記監視カメラは、円形又は矩形の形状を有することを特徴とする請求項１に記載の表示モジュールを有する監視装置。
【請求項５】
前記監視カメラは、その一側にベースが設けられることを特徴とする請求項１に記載の表示モジュールを有する監視装置。
【請求項６】
前記ベースは、その一側に連接構造が設けられることを特徴とする請求項５に記載の表示モジュールを有する監視装置。
【請求項７】
前記連接構造は、前記ベースの左側に設けられることを特徴とする請求項６に記載の表示モジュールを有する監視装置。
【請求項８】
前記連接構造は、前記ベースの右側に設けられることを特徴とする請求項６に記載の表示モジュールを有する監視装置。
【請求項９】
前記連接構造は、枢着構造又は固定構造であることを特徴とする請求項６に記載の表示モジュールを有する監視装置。
【請求項１０】
前記枢着構造は、回転構造と枢着し、且つ前記回転構造の一側に前記表示モジュールと枢着する回転軸が設けられることにより、前記表示モジュールは、Ｘ軸とＹ軸に沿って角度を調整できることを特徴とする請求項９に記載の表示モジュールを有する監視装置。
【請求項１１】
前記表示モジュールの内部に前記制御回路に電気的に接続するスピーカとマイクロホンが設けられることを特徴とする請求項１に記載の表示モジュールを有する監視装置。
【請求項１２】
前記監視カメラは、その少なくとも一側面に少なくとも一つの発光ディバイスが設けられ、且つ前記発光ディバイスは、前記制御回路に電気的に接続されることを特徴とする請求項１に記載の表示モジュールを有する監視装置。
【請求項１３】
前記監視カメラは、その少なくとも一側面に連接部が設けられることを特徴とする請求項１に記載の表示モジュールを有する監視装置。
【請求項１４】
前記連接部は、係合構造又はロック構造であることを特徴とする請求項１３に記載の表示モジュールを有する監視装置。
【請求項１５】
前記表示モジュールは、その少なくとも一側面に係合部が設けられ、前記係合部によって前記係合構造と係合されることができることを特徴とする請求項１４に記載の表示モジュールを有する監視装置。
【請求項１６】
前記ロック構造は、その上にロック部材が設けられ、前記ロック部材によって前記表示モジュールにロックされることができることを特徴とする請求項１４に記載の表示モジュールを有する監視装置。
【請求項１７】
前記表示モジュールは、その少なくとも一側面に連接部材が設けられることを特徴とする請求項１に記載の表示モジュールを有する監視装置。
【請求項１８】
前記連接部材は、係合部材又はロック部材であることを特徴とする請求項１７に記載の表示モジュールを有する監視装置。
【請求項１９】
前記表示モジュールは、前記監視カメラの上方に設けられることを特徴とする請求項１に記載の表示モジュールを有する監視装置。
【請求項２０】
前記表示モジュールは、前記監視カメラの下方に設けられることを特徴とする請求項１に記載の表示モジュールを有する監視装置。
【請求項２１】
前記表示モジュールは、前記監視カメラの左側に設けられることを特徴とする請求項１に記載の表示モジュールを有する監視装置。
【請求項２２】
前記表示モジュールは、前記監視カメラの右側に設けられることを特徴とする請求項１に記載の表示モジュールを有する監視装置。
【請求項２３】
前記制御回路には、ワイアレス接収/発送回路が設けられることを特徴とする請求項１に記載の表示モジュールを有する監視装置。
【考案の詳細な説明】
【技術分野】
【０００１】
本考案は、表示モジュールを有する監視装置（Closed-Circuit TeleVision, ＣＣＴＶ）であり、特に監視装置の一側に設けられる表示モジュールによって監視装置から撮影した影像をリアルに見えることにより、犯罪を予防できる監視装置に関するものである。
【背景技術】
【０００２】
治安は、国民に対して非常に重要な問題であり、従って、如何に犯罪率を降下させるのは警察機関に対して努力すべきの目標となり、これは国民の法治教育、道徳教育から着手する必要があるだけではなく、警察機関の執行能力と国民間の協力が必要があり、こうすれば、その目標を達成することができる。
【０００３】
しかし、現在の犯罪問題は、個人的の犯罪、例えば万引き、横取り、強盗などの犯罪以外、社会利益を損する犯罪、例えば、飲酒運転でひき逃げが頻繁である。これらの案件を解決する難しさは、犯罪者のひき逃げの後、証拠が取られ難いため、このような案件を担当する警察機関は、監視カメラから撮られた影像から現場の状況を判断し、被害者の家族に対して事情を説明できる。
【０００４】
上述のように、監視カメラは、法の執行機関に対して案件の真実を判断する工具であるだけではなく、街道、銀行、コンビニ、売り場、又はデパートなどに設置される場合、犯罪使用とする者に対して威嚇を与えることができるため、治安の維持に非常に重要なものである。
【考案の概要】
【考案が解決しようとする課題】
【０００５】
しかしながら、一般の従来の監視装置（ＣＣＴＶ）は、監視装置におけるカメラから撮られた影像をリモートのデジタル影像と音声の記憶装置（Ｄigital Ｖideo Ｒecorder，ＤＶＲ）によって連接されるコンピュータのモニタから表示すると共に、影像を録画する功能しか有しないため、影像を録画する功能と影像をリアルに監視できる功能とを同時に有する監視装置を提供できない。
【０００６】
従って、前記従来の監視装置は、様々な欠点を有するため、更に改良する必要があり、従って、如何に前記従来の監視装置の欠点を解決するのか、本考案の目的となる。
【課題を解決するための手段】
【０００７】
一、本考案に採用する技術手段：
本考案は、監視装置（ＣＣＴＶ）の少なくとも一側（一側又は複数側）に設けられる表示モジュールにより、リアルに監視効果を提供し、本考案の監視装置（ＣＣＴＶ）から撮られた影像を直接に見えることにより、リモートのデジタル影像と音声の記憶装置（Ｄigital Ｖideo Ｒecorder，ＤＶＲ）によって連接されるコンピュータのモニタから表示する必要がなく、影像を録画する功能と影像をリアルに監視できる功能とを同時に有する、表示モジュールを有する監視装置である。
【０００８】
上記の目的を達成するために、本考案は、以下の技術手段を採用する。
少なくとも一つの監視カメラと表示モジュールとを有し、前記監視カメラは、その前端に設けられるカメラと、その内部に設けられる制御回路と、外部から前記監視カメラと接続される電源供給モジュールから構成され、前記カメラと電源供給モジュールは、前記制御回路に夫々電気的に接続され、前記表示モジュールは、前記監視カメラの少なくとも一側に設けられると共に、前記制御回路に電気的に接続されることを特徴とする表示モジュールを有する監視装置を提供する。
【０００９】
前記表示モジュールを有する監視装置において、前記監視カメラの後端に前記監視カメラの制御回路に電気的に接続する影像と音声の伝送コードが設けられ、前記影像と音声の伝送コードの自由端がデジタル影像と音声の記憶装置（ＤＶＲ）の内部に設けられるメイン制御回路と電気的に接続される。
【００１０】
前記表示モジュールを有する監視装置において、前記表示モジュールは、液晶表示モニタ(Ｌｉｑｕｉｄ Ｃｒｙｓｔａｌ Ｄｉｓｐｌａｙ，ＬＣＤ)、有機発光ダイオード表示モニタ(Ｏｒｇａｎｉｃ Ｌｉｇｈｔ-Ｅｍｉｔｔｉｎｇ Ｄｉｄｏｄｅｓ，ＯＬＥＤ)又はＬＥＤ表示モニタ(Ｌｉｇｈｔ Ｅｍｉｔｔｉｎｇ Ｄｉｄｏｄｅｓ，ＬＥＤ)である。
【００１１】
前記表示モジュールを有する監視装置において、前記監視カメラは、円形又は矩形の形状を有する。
【００１２】
前記表示モジュールを有する監視装置において、前記監視カメラは、その一側にベースが設けられる。
【００１３】
前記表示モジュールを有する監視装置において、前記ベースは、その一側に連接構造が設けられる。
【００１４】
前記表示モジュールを有する監視装置において、前記連接構造は、前記ベースの左側に設けられる。
【００１５】
前記表示モジュールを有する監視装置において、前記連接構造は、前記ベースの右側に設けられる。
【００１６】
前記表示モジュールを有する監視装置において、前記連接構造は、枢着構造又は固定構造である。
【００１７】
前記表示モジュールを有する監視装置において、前記枢着構造は、回転構造と枢着し、且つ前記回転構造の一側に前記表示モジュールと枢着する回転軸が設けられることにより、前記表示モジュールは、Ｘ軸とＹ軸に沿って角度を調整できる。
【００１８】
前記表示モジュールを有する監視装置において、前記表示モジュールの内部に前記制御回路に電気的に接続するスピーカとマイクロホンが設けられる。
【００１９】
前記表示モジュールを有する監視装置において、前記監視カメラは、その少なくとも一側面に少なくとも一つの発光ディバイスが設けられ、且つ前記発光ディバイスは、前記制御回路に電気的に接続される。
【００２０】
前記表示モジュールを有する監視装置において、前記監視カメラは、その少なくとも一側面に連接部が設けられる。
【００２１】
前記表示モジュールを有する監視装置において、前記連接部は、係合構造又はロック構造である。
【００２２】
前記表示モジュールを有する監視装置において、前記表示モジュールは、その少なくとも一側面に係合部が設けられ、前記係合部によって前記係合構造と係合されることができる。
【００２３】
前記表示モジュールを有する監視装置において、前記ロック構造は、その上にロック部材が設けられ、前記ロック部材によって前記表示モジュールにロックされることができる。
【００２４】
前記表示モジュールを有する監視装置において、前記表示モジュールは、その少なくとも一側面に連接部材が設けられる。
【００２５】
前記表示モジュールを有する監視装置において、前記連接部材は、係合部材又はロック部材である。
【００２６】
前記表示モジュールを有する監視装置において、前記表示モジュールは、前記監視カメラの上方に設けられる。
【００２７】
前記表示モジュールを有する監視装置において、前記表示モジュールは、前記監視カメラの下方に設けられる。
【００２８】
前記表示モジュールを有する監視装置において、前記表示モジュールは、前記監視カメラの左側に設けられる。
【００２９】
前記表示モジュールを有する監視装置において、前記表示モジュールは、前記監視カメラの右側に設けられる。
【００３０】
前記表示モジュールを有する監視装置において、前記制御回路には、ワイアレス接収/発送回路が設けられる。
【考案の効果】
【００３１】
二、従来の技術に比べる効果
本考案に係わる表示モジュールを有する監視装置は、前記の技術手段を採用するため、下記のようなメリットと効果を達成できる。
本考案は、従来の監視装置と異なり、監視カメラの一側に表示モジュールが設けられることにより、監視カメラから撮られた影像を制御回路によって前記表示モジュールに伝送した後、リアルに表示することができる。監視カメラから撮られた影像をリモートの影像と音声の記憶装置（ＤＶＲ）に連接されるコンピュータのモニタによって表示する従来の監視装置に比べてより快速、リアルに表示することができ、監視カメラの一側に設けられる表示モジュールからリアルに影像を見えるだけではなく、犯罪使用とする者はリアルの影像を見る時に犯罪行為をあきらめさせることができるので、犯罪率を有効に降下することができる。従って、本考案の提案により、犯罪の予防には非常に有用である。
【図面の簡単な説明】
【００３２】
【図１】本考案に係わる表示モジュールを有する監視装置の第１実施形態を示す斜視参考図である。
【図２】本考案に係わる表示モジュールを有する監視装置参考の第１実施形態を示す分解斜視参考図である。
【図３】本考案に係わる表示モジュールを有する監視装置参考の第１実施形態の使用状態を示す参考図である。
【図４】本考案に係わる表示モジュールを有する監視装置参考の第１実施形態の他の使用状態を示す参考図である。
【図５】本考案に係わる表示モジュールを有する監視装置の第２実施形態を示す斜視参考図である。
【図６】本考案に係わる表示モジュールを有する監視装置の第２実施形態と発光ディバイスと配合する斜視参考ズである。
【図７】本考案に係わる表示モジュールを有する監視装置のブロックフローチャートである。
【図８】本考案に係わる表示モジュールを有する監視装置の第３実施形態を示す斜視参考図である。
【図９】本考案に係わる表示モジュールを有する監視装置の第３実施形態を示す分解斜視参考図である。
【図１０】本考案に係わる表示モジュールを有する監視装置の第４実施形態を示す斜視参考図である。
【図１１】本考案に係わる表示モジュールを有する監視装置の第４実施形態を示す分解斜視参考図である。
【図１２】本考案に係わる表示モジュールを有する監視装置の第５実施形態を示す斜視参考図である。
【図１３】本考案に係わる表示モジュールを有する監視装置の第５実施形態を示す分解斜視参考図である。
【図１４】本考案に係わる表示モジュールを有する監視装置の第６実施形態を示す斜視参考図である。
【図１５】本考案に係わる表示モジュールを有する監視装置の第７実施形態を示す斜視参考図である。
【図１６】本考案に係わる表示モジュールを有する監視装置の第８実施形態を示す斜視参考図である。
【図１７】本考案に係わる表示モジュールを有する監視装置の第９実施形態を示す斜視参考図である。
【考案を実施するための形態】
【００３３】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００３４】
図１は、本考案に係わる表示モジュールを有する監視装置の第１実施形態を示す斜視参考図であり、図２は、本考案に係わる表示モジュールを有する監視装置参考の第１実施形態を示す分解斜視参考図であり、図３は、本考案に係わる表示モジュールを有する監視装置参考の第１実施形態の使用状態を示す参考図であり、図４は、本考案に係わる表示モジュールを有する監視装置参考の第１実施形態の他の使用状態を示す参考図であり、図５は、本考案に係わる表示モジュールを有する監視装置の第２実施形態を示す斜視参考図であり、図６は、本考案に係わる表示モジュールを有する監視装置の第２実施形態と発光ディバイスと配合する斜視参考ズであり、図７は、本考案に係わる表示モジュールを有する監視装置のブロックフローチャートである。
【００３５】
本考案に係わる表示モジュールを有する監視装置は、少なくとも一つの監視カメラ（１）と表示モジュール（２）とを有し、前記監視カメラ（１）は、その前端に設けられるカメラ（１１）と、その内部に設けられる制御回路（１２）と、外部から前記監視カメラ（１）と接続される電源供給モジュール（１３）から構成され、前記カメラ（１１）と電源供給モジュール（１３）は、前記制御回路（１２）に夫々電気的に接続され、前記表示モジュール（２）は、前記監視カメラ（１）の少なくとも一側に設けられると共に、前記制御回路（１２）に電気的に接続される。
【００３６】
前記の構成において、前記監視カメラ（１）の少なくとも一側（一側又は複数側）に設けられる表示モジュール（２）により、前記カメラ（１１）から撮られたリアルの影像が前記制御回路（１２）を介して前記表示モジュール（２）に伝送して表示されることができる。本考案の構成によれば、犯罪の予防に役に立つ。国民の生命安全に対して大きな福祉とも言え、国民が望んでいる安全生活は、実現可能となる。
【００３７】
前記の構成において、前記監視カメラ（１）の後端に前記監視カメラ（１）の制御回路（１２）に電気的に接続する影像と音声の伝送コード（３）が設けられ、前記影像と音声の伝送コード（３）の自由端がデジタル影像と音声の記憶装置（ＤＶＲ）（４）の内部に設けられるメイン制御回路（４１）と電気的に接続される。
【００３８】
前記の構成において、前記メイン制御回路（４１）には、更に表示装置（７）（例えばコンピュータ、携帯電話、携帯情報端末（ＰＤＡ））が設けられることができ、これにより、前記カメラ（１１）から撮られたリアルの影像が前記制御回路（１２）を介して前記影像と音声の伝送コード（３）に伝送され、そして前記影像と音声の伝送コード（３）から前記デジタル影像と音声の記憶装置（ＤＶＲ）（４）のメイン制御回路（４１）に伝送され、最後に前記メイン制御回路（４１）から前記表示装置（７）に伝送されることにより、前記カメラ（１１）から撮られたリアルの影像を放送し出すことができる。本考案の構成は、監視カメラ（１）の一側に設けられる表示モジュール（２）からリアルの影像が見えるだけではなく、リモートの表示装置（７）からリアルの影像も見えるので、監視装置のネットワークとなると共に、犯罪を有効に防止することができる。
【００３９】
前記の構成において、前記表示モジュール（２）は、液晶表示モニタ(Ｌｉｑｕｉｄ Ｃｒｙｓｔａｌ Ｄｉｓｐｌａｙ，ＬＣＤ)、有機発光ダイオード表示モニタ(Ｏｒｇａｎｉｃ Ｌｉｇｈｔ-Ｅｍｉｔｔｉｎｇ Ｄｉｄｏｄｅｓ，ＯＬＥＤ)又はＬＥＤ表示モニタ(Ｌｉｇｈｔ Ｅｍｉｔｔｉｎｇ Ｄｉｄｏｄｅｓ，ＬＥＤ)である。
【００４０】
前記の構成において、液晶表示モニタ(Ｌｉｑｕｉｄ Ｃｒｙｓｔａｌ Ｄｉｓｐｌａｙ，ＬＣＤ)は、重量が低く、省エネルギー及び放射線が有しないメリットがあり、有機発光ダイオード表示モニタ(Ｏｒｇａｎｉｃ Ｌｉｇｈｔ-Ｅｍｉｔｔｉｎｇ Ｄｉｄｏｄｅｓ，ＯＬＥＤ)は、軽薄、フルカラーと高輝度、省エネルギー、視角が広い及び影像の影がないメリットがあり、ＬＥＤ表示モニタ(Ｌｉｇｈｔ Ｅｍｉｔｔｉｎｇ Ｄｉｄｏｄｅｓ，ＬＥＤ)は、値段が安く、使用時間が長いと省エネルギーのメリットがある。
【００４１】
前記の構成において、前記監視カメラ（１）は、円形又は矩形の形状を有する。
【００４２】
前記の構成において、前記監視カメラ（１）は、円形又は矩形の形状を有することにより、使用者に多様な選択を提供することができる。
【００４３】
前記の構成において、前記表示モジュールを有する監視装置において、前記監視カメラ（１）は、その一側にベース（５）が設けられる。
【００４４】
又、前記の構成において、前記表示モジュールを有する監視装置において、前記ベース（５）は、その一側に連接構造（５１）が設けられる。
【００４５】
前記の構成において、前記ベース（５）は、その一側に連接構造（５１）が設けられることにより、前記表示モジュール（２）と連接することができる。
【００４６】
前記の構成において、前記連接構造（５１）は、前記ベース（５）の左側に設けられる。
【００４７】
前記の構成において、前記監視カメラ（１）が高い場所に設けられる時に、その右側に障害物がある場合、前記ベース（５）の左側に設けられる前記連接構造（５１）により、その障害物から避けて前記表示モジュール（２）の組立てをスムーズに進めることができる。
【００４８】
前記の構成において、前記連接構造（５１）は、前記ベース（５）の右側に設けられる。
【００４９】
前記の構成において、前記監視カメラ（１）が高い場所に設けられる時に、その左側に障害物がある場合、前記ベース（５）の右側に設けられる前記連接構造（５１）により、その障害物から避けて前記表示モジュール（２）の組立てをスムーズに進めることができる。
【００５０】
前記の構成において、前記連接構造（５１）は、枢着構造（５１１）又は固定構造（５１２）である。
【００５１】
前記の構成において、前記連接構造（５１）は、枢着構造（５１１）又は固定構造（５１２）であることにより、前記表示モジュール（２）と連接することができる。
【００５２】
前記の構成において、前記枢着構造（５１１）は、回転構造（Ａ）と枢着し、且つ前記回転構造（Ａ）の一側に前記表示モジュール（２）と枢着する回転軸（Ａ１）が設けられることにより、前記表示モジュール（２）は、Ｘ軸とＹ軸に沿って角度を調整できる。
【００５３】
前記の構成において、前記表示モジュール（２）は、前記枢着構造（５１１）と前記回転構造（Ａ）との枢着により、Ｙ軸に沿って角度を調整でき、次に前記表示モジュール（２）は、回転構造（Ａ）の回転軸（Ａ１）と前記表示モジュール（２）との枢着により、Ｘ軸に沿って角度を調整でき、簡単に言うと、前記表示モジュール（２）は、Ｘ軸とＹ軸に沿って角度を調整できる。
【００５４】
前記の構成において、前記表示モジュール（２）の内部に前記制御回路（１２）に電気的に接続するスピーカ（２１）とマイクロホン（２２）が設けられる。
【００５５】
前記の構成において、前記マイクロホン（２２）の設置により、外部の音声を接収することができ、前記スピーカ（２１）は、接収された音声を外部へ放送することができる。
【００５６】
前記の構成において、前記監視カメラ（１）は、その少なくとも一側面に少なくとも一つの発光ディバイス（６）が設けられ、且つ前記発光ディバイス（６）は、前記制御回路（１２）に電気的に接続される。
【００５７】
前記の構成において、前記監視カメラ（１）に設けられる発光ディバイス（６）により、夜に前記監視カメラ（１）の位置を目立つようにすることができるため、犯罪使用とする者に対して威嚇効果を有する。次に、前記発光ディバイス（６）の設置により、前記監視カメラ（１）が正常に作動する否かを判断しやすく、故障の時に直ぐにメンテナンスすることができる。
【００５８】
図８は、本考案に係わる表示モジュールを有する監視装置の第３実施形態を示す斜視参考図であり、図９は、本考案に係わる表示モジュールを有する監視装置の第３実施形態を示す分解斜視参考図であり、図１０は、本考案に係わる表示モジュールを有する監視装置の第４実施形態を示す斜視参考図であり、図１１は、本考案に係わる表示モジュールを有する監視装置の第４実施形態を示す分解斜視参考図である。
【００５９】
図面に示すように、前記の構成において、前記監視カメラ（１）は、その少なくとも一側面に連接部（１４）が設けられる。
【００６０】
前記の構成において、前記監視カメラ（１）の連接部（１４）は、前記表示モジュール（２）と接合することができる。
【００６１】
前記の構成において、前記連接部（１４）は、係合構造（１４１）又はロック構造（１４２）である。
【００６２】
前記の構成において、前記連接部（１４）は、係合構造（１４１）又はロック構造（１４２）であることにより、前記表示モジュール（２）と接合することができる。
【００６３】
前記の構成において、前記表示モジュール（２）は、その少なくとも一側面に係合部（２３）が設けられ、前記係合部（２３）によって前記係合構造（１４１）と係合されることができる。
【００６４】
又、前記の構成において、前記ロック構造（１４２）は、その上にロック部材（１４２１）が設けられ、前記ロック部材（１４２１）によって前記表示モジュール（２）にロックされることができる。
【００６５】
前記の構成において、前記ロック部材（１４２１）は、ねじであり、前記ねじにより、前記監視カメラ（１）が前記表示モジュール（２）にロックされることができる。
【００６６】
図１２は、本考案に係わる表示モジュールを有する監視装置の第５実施形態を示す斜視参考図であり、図１３は、本考案に係わる表示モジュールを有する監視装置の第５実施形態を示す分解斜視参考図である。
【００６７】
図面に示すように、前記の構成において、前記表示モジュール（２）は、その少なくとも一側面に連接部材（２４）が設けられる。
【００６８】
前記の構成において、前記表示モジュール（２）に設けられる連接部材（２４）により、前記監視カメラ（１）と接合することができる。
【００６９】
前記の構成において、前記連接部材（２４）は、係合部材又はロック部材（２４１）である。
【００７０】
前記の構成において、前記表示モジュール（２）に設けられる連接部材（２４）は、係合部材又はロック部材（２４１）であることにより、前記監視カメラ（１）と接合することができる。
【００７１】
図１４、本考案に係わる表示モジュールを有する監視装置の第６実施形態を示す斜視参考図であり、図１５、本考案に係わる表示モジュールを有する監視装置の第７実施形態を示す斜視参考図であり、図１６は、本考案に係わる表示モジュールを有する監視装置の第８実施形態を示す斜視参考図であり、図１７は、本考案に係わる表示モジュールを有する監視装置の第９実施形態を示す斜視参考図である。
【００７２】
図面に示すように、前記の構成において、前記表示モジュール（２）は、前記監視カメラ（１）の上方に設けられる。
【００７３】
前記の構成において、前記表示モジュール（２）は、前記監視カメラ（１）の上方に設けられることにより、異なる態様の本考案に係わる表示モジュールを有する監視装置を提供できる。
【００７４】
図面に示すように、前記の構成において、前記表示モジュール（２）は、前記監視カメラ（１）の下方に設けられる。
【００７５】
前記の構成において、前記表示モジュール（２）は、前記監視カメラ（１）の下方に設けられることにより、異なる態様の本考案に係わる表示モジュールを有する監視装置を提供できる。
【００７６】
図面に示すように、前記の構成において、前記表示モジュール（２）は、前記監視カメラ（１）の左側に設けられる。
【００７７】
前記の構成において、前記表示モジュール（２）は、前記監視カメラ（１）の左側に設けられることにより、異なる態様の本考案に係わる表示モジュールを有する監視装置を提供できる。
【００７８】
図面に示すように、前記の構成において、前記表示モジュール（２）は、前記監視カメラ（１）の右側に設けられる。
【００７９】
前記の構成において、前記表示モジュール（２）は、前記監視カメラ（１）の右側に設けられることにより、異なる態様の本考案に係わる表示モジュールを有する監視装置を提供できる。
【００８０】
前記の構成において、前記制御回路（１２）には、ワイアレス接収/発送回路（１２１）が設けられる。
【００８１】
前記の構成において、ワイアレス接収/発送回路（１２１）は、デジタルのテレビ信号を接収して前記表示モジュール（２）に表示することができる。
【００８２】
上述したように、本考案に係わる表示モジュールを有する監視装置の実施形態は、確かに達成しようとする効果を達成でき、又、その具体の構造は、同じような製品にも見えなく、又、出願前に公開したこともないので、実用新案法の規定と要求に満たし、従って、出願して実用新案登録させるよう願う。
【符号の説明】
【００８３】
１          監視カメラ
１１        カメラ
１２        制御回路
１２１      ワイアレス接収/発送回路
１３        電源供給モジュール
１４        連接部
１４１      係合構造
１４２      ロック構造
１４２１    ロック部材
２          表示モジュール
２１        スピーカ
２２        マイクロホン
２３        係合部
２４        連接部材
２４１      ロック部材
３          影像と音声の伝送コード
４          デジタル影像と音声の記憶装置
４１        メイン制御回路
５          ベース
５１        連接構造
５１１      枢着構造
５１２      固定構造
６          発光ディバイス
７          表示装置
Ａ          回転構造
Ａ１        回転軸
【図１】
0003183048.tif 000003
【図２】
0003183048.tif 000004
【図３】
0003183048.tif 000005
【図４】
0003183048.tif 000006
【図５】
0003183048.tif 000007
【図６】
0003183048.tif 000008
【図７】
0003183048.tif 000009
【図８】
0003183048.tif 000010
【図９】
0003183048.tif 000011
【図１０】
0003183048.tif 000012
【図１１】
0003183048.tif 000013
【図１２】
0003183048.tif 000014
【図１３】
0003183048.tif 000015
【図１４】
0003183048.tif 000016
【図１５】
0003183048.tif 000017
【図１６】
0003183048.tif 000018
【図１７】
0003183048.tif 000019